(57)【特許請求の範囲】
【請求項１】
靴底の内側区域及び外側区域に靴底の長手方向に沿って複数の鋲が配置されたゴルフシューズであって、靴底の内側区域における足の第１中足骨骨頭の下にある種子骨を挟む長手方向５ｃｍの範囲に対応する踏付部に複数本の鋲が配置され、また、外側区域は第５中足骨と第５基節骨の関節を挟む５ｃｍの範囲に対応する踏付部に複数本の鋲および踵骨の踵骨隆起の下端より長手方向先端に向かって５ｃｍの範囲内に対応する踵部に少なくとも１本の鋲が夫々配置されており、内側区域は、踏付部に設けられた鋲より爪先方向並びに踵方向に夫々１本のラバーポイント、踵部に設けた鋲より踵方向に１本のラバーポイントが間隔を置いて配置され、また、外側区域は踏付部に設けた鋲より爪先方向に１本のラバーポイント、踵部に設けた鋲より踵方向に１本のラバーポイントが間隔を置いて配置されており、踵部の外側及び内側区域に夫々１本の鋲が配置されていることを特徴とするゴルフシューズ。
【請求項２】
靴底の鋲を設けた区域の材料とラバーポイントを設けた区域の材料が異なるものであって、鋲を設けた区域の材料がラバーポイントを設けた区域の材料より高度が高いことを特徴とする請求項１に記載のゴルフシューズ。
【請求項３】
ラバーポイントが靴底の隆起体であることを特徴とする請求項２に記載のゴルフシューズ。
【発明の詳細な説明】
【０００１】
【発明の属する技術分野】
この発明はゴルフシューズに関するものであり、特に靴底に鋲とラバーポイントを併設したゴルフシューズに関する。
【０００２】
【従来の技術】
従来のゴルフシューズは、スパイクシューズとスパイクレスシューズが知られている。
スパイクシューズは、金属又はセラミックスのような硬質材料の円錐形状または円錐台形状突起物を、硬質の靴底における踏付部と踵部を中心に夫々複数個、それらの基部を靴底に埋設又はねじ込み固定したものである。
また、スパイクレスシューズは、ゴム製の靴底の上記踏付部と踵部を中心に、同様の円錐形状または円錐台形状のゴム製突起物、即ちラバーポイントを設けたものである。
スパイクシューズは歩行時、並びにプレイ時においてグリップ性は良好であるが、鋲による突き上げ、および鋲の保持力確保のために使用される硬質靴底によって踏付部の屈曲性が阻害され、歩きにくく、疲れやすいという欠点がある。
一方、スパイクレスシューズは靴底を柔らかくすることができ、歩行に適しているが、斜面などで滑りやすく地面把持力の面で問題がある。
【０００３】
【発明が解決しようとする課題】
この出願発明は、上記問題を解決するものであって、グリップ性と歩行性を兼ね備えたゴルフシューズを提供することを目的とする。
【０００４】
【課題を解決するための手段】
この出願発明は、靴底の内側区域及び外側区域に靴底の長手方向に沿って複数の鋲が配置されたゴルフシューズであって、靴底の内側区域における足の第１中足骨骨頭の下にある種子骨を挟む長手方向５ｃｍの範囲に対応する踏付部に複数本の鋲が配置され、また、外側区域は第５中足骨と第５基節骨の関節を挟む５ｃｍの範囲に対応する踏付部に複数本の鋲および踵骨の踵骨隆起の下端より長手方向先端に向かって５ｃｍの範囲内に対応する踵部に少なくとも１本の鋲が夫々配置されており、内側区域は、踏付部に設けられた鋲より爪先方向並びに踵方向に夫々１本のラバーポイント、踵部に設けた鋲より踵方向に１本のラバーポイントが間隔を置いて配置され、また、外側区域は踏付部に設けた鋲より爪先方向に１本のラバーポイント、踵部に設けた鋲より踵方向に１本のラバーポイントが間隔を置いて配置されており、踵部の外側及び内側区域に夫々１本の鋲が配置されているゴルフシューズに関する。
【０００５】
【作用】
この出願発明は、足の骨に対応して、シューズの地面に対する圧力分布を考慮し効率的に鋲を配置しているので、スパイクシューズ本来の機能を確保しつつ、重量軽減による疲労防止効果が顕著であり、特にラバーポイントとの併用によって上記効果を有利に達成することができる。
【０００６】
【発明の実施の形態】
この出願発明のゴルフシューズは、踏部の外側及び内側区域に夫々１本の鋲が配置されている。
【０００７】
靴底の内側区域は、踏付部に設けられた鋲の先端方向並びに後端方向に夫々１本のラバーポイント、踵部に設けた鋲の後端方向に１本のラバーポイントが間隔を置いて配置され、また、外側区域は踏付部に設けた鋲の先端方向に１本のラバーポイント、踵部に設けた鋲の後端方向に１本のラバーポイントが間隔を置いて配置されている。
【０００８】
靴底の鋲を設けた区域の材料とラバーポイントを設けた区域の材料は異なるものであってもよいが、異なるときは鋲を設けた区域の材料がラバーポイントを設けた区域の材料より硬度が高いことが好ましい。
また、この出願発明のゴルフシューズは、ラバーポイントが靴底材料の隆起体であることが好ましい。
【０００９】
図１に示すように、靴底１の内側区域２及び外側区域３に、靴底１の長手方向に沿って複数本の鋲４が配置されたゴルフシューズであって、靴底の内側区域２における足の第１中足骨５骨頭の下にある種子骨６を挟む長手方向５ｃｍの範囲Ｕに対応する踏付部７に複数本の鋲４を配置し、また外側区域３は、第５中足骨８と第５基節骨９の関節１０を挟む５ｃｍの範囲Ｖに対応する踏付部７に複数本の鋲４、及び踵骨１１踵骨隆起１２の下端より長手方向先端１３に向かって５ｃｍの範囲Ｗに対応する踵部１４に少なくとも１本の鋲４を配置するものとする。
【００１０】
上記鋲４の配置はゴルフプレイ時に身体を回転したとき、回転防止に必要な配置であり、もし内側区域の範囲Ｕと外側区域の範囲Ｖに夫々鋲４を１本ずつ配置した場合は、身体の回転防止には不充分である。好ましい配置としては、内側区域の範囲Ｕ内に間隔をおいて２本、外側区域の範囲Ｖ内に同様に間隔をおいて２本夫々鋲４を設ける。そうすることによって、回転時に接地圧が高まる範囲Ｕ、Ｖ、Ｗと３つの区域に設けた鋲によって、大地に対する身体の回転を効果的に防止することができる。
踵部１４に鋲４を１本設けるときは外側区域３の範囲Ｗ内に、また、これに加えて内側区域２における範囲Ｗ内にもう１本設ける。
【００１１】
靴底１の内側区域２は、踏付部７に設けられた鋲４の先端１３方向並びに後端１５方向に夫々１本のラバーポイント１６を、踵部１４に設けた鋲４の後端１５方向に１本のラバーポイント１６を間隔をおいて配置し、一方外側区域３は、踏付部７に設けた鋲４の先端１３の方向に１本のラバーポイント１６を、踵部１４に設けた鋲４の後端１５の方向に１本のラバーポイント１６を、間隔をおいて配置する。
ラバーポイント１６はゴム又はゴム様弾性体の突起物で、鋲４より太く、且つ高さも高い。ラバーポイント１６をこのように特定位置に鋲４と併用することによって、スパイク機能を維持しつつ、歩行性が鋲のみのものに比べて格段に向上するのである。
【００１２】
本発明において、靴底１の鋲４を設ける区域の材料とラバーポイント１６を設ける区域の材料を異にし、前者の硬度が後者の硬度より高いことが好ましい。
【００１３】
図２に示すように、この出願発明の鋲４が配置される部分Ａの材料は、硬質のゴム、ウレタン、プラスチック（硬度：ＪＩＳ  Ａ６０゜〜９０゜）その他、皮革等も好適に使用することができる。
【００１４】
また、ラバーポイントを配置される部分のＢの材料は、比較的軟質のゴムまたはゴム様弾性体が使用され、ラバーポイントは、靴底ゴムの一部が鋲と類似の円錐状または円錐台状形状（ただし多少太く、且つ高め）で隆起したものでＪＩＳＡ硬度は５０゜〜７０゜の範囲内にあり、且つ部分Ａへの使用材料より上記硬度は小さいことが望ましい。
なお、鋲は靴底の部分Ａに直接基部を埋設したり、基部と先端部分を別体とし鋲の基部を部分Ａに埋設し、先端部分を基部に対しねじ込み、固定することなども可能である。
【００１５】
鋲の材料は金属、セラミックス、樹脂等の硬質材料が好ましいが、樹脂等の硬質材料は少なくとも区域Ａの靴底材料よりも硬度が高いことが好ましい。
【００１６】
【実施例】
以下、この出願発明を図面により具体的に説明する。
図１は、この出願発明における１実施例を示す靴底の平面図である。
図１は、靴着用時のもので、靴底に足の骨（点線）を重ね、その上で鋲４及びラバーポイント１６の好ましい配置例を示している。
この実施例においては、靴底１を幅方向に実質上２等分し、内側区域２と、外側区域３に区分したとき、靴底の内側区域２における足の第１中足骨５の骨頭の下にある種子骨６を通る中心線ｊを挟む靴底の長手方向５ｃｍの範囲Ｕの踏付部７に、種子骨６より若干靴底の後端１５寄りに１個、種子骨６より先端１３方向に多少距離を置いて１個夫々鋲４を備えている。
また、外側区域３は第５中足骨８と第５基節骨９の関節１０を通る基準線ｋを挟む５ｃｍの範囲Ｖの踏付部７に２本、踵骨１１の踵骨隆起１２の下端、即ち踵骨１１の下方に隆起した踵骨隆起１２の下端を基準にこの位置から靴底の長手方向先端１３に向かって５ｃｍの範囲Ｗ内に１本夫々鋲４を配置している。
より詳細には、外側区域の範囲Ｖ内には、上記関節１０に近接し後端１５側に１個、関節１０と多少距離を置いて先端１３側に１個夫々鋲４を備え、また踵部１４には範囲Ｗ内の外側区域３に鋲４を１個備え、内側区域２にも範囲Ｗ対応区域内に鋲４を１個配置している。なお、踵部１４に鋲４を１個使用する場合は、外側区域３に設けることとする。
範囲Ｕ、Ｖ、Ｗ以外の領域には、特に突起物を設けなくてもよいが、この実施例においては、鋲４の配置間隔とほぼ等しい間隔を置いて、内側区域２においては範囲Ｕの外に円錐台形状のやや太めのラバーポイント１６を靴底の先、後端１３、１５側に各々１個設け、踵部１４も範囲Ｗの外後端１５側にラバーポイントを１個設けている。
一方、外側区域３は、範囲Ｖの外の先端１３側に鋲４の間隔とほぼ等しい距離を置いてラバーポイント１６を１個、また、踵部１４にも範囲Ｗの外の後端１５側にラバーポイント１６を１個夫々設けている。
【００１７】
図２は、鋲が設けられる部分とラバーポイントが設けられる部分の靴底材料が異なる複合材料より成る靴底の平面図を示す。
この実施例においては、鋲４が設けられた部分Ａの材料は硬質ゴム（ＪＩＳ  Ａ硬度８０゜）である。
なお、部分Ａの材料は硬質のゴム、ウレタン、プラスチック（硬度：６０゜〜９０゜）、また皮革等が適用できる。
一方、ラバーポイントを設けた部分Ｂの材料は比較的軟質のゴム（ＪＩＳ  Ａ硬度６０゜）であって、ラバーポイントは靴底ゴムの一部が鋲と類似の円錐台状の形状（ただし多少太く、且つ高め）で隆起したものであり、ＪＩＳ  Ａ硬度は６０゜である。
なお、ラバーポイントは靴底ゴムの一部が鋲と類似の円錐状の形状（ただし多少太く、且つ高め）で隆起したものでＪＩＳ  Ａ硬度は５０゜〜７０゜の範囲内にあり、且つ部分Ａへの使用材料より上記硬度は小さいことが望ましい。
また、鋲は靴底の部分Ａに直接基部を埋設したり、基部と先端部分を別体とし鋲の基部を部分Ａに埋設し、先端部分を基部に対しねじ込み、固定することなども可能である。
鋲の材料は鉄である。なお、鋲の材料は、各種金属、セラミックス、樹脂等の硬質材料が好ましい。
【００１８】
【発明の効果】
この出願発明は、特定の位置に鋲が配置されているので、歩行機能のうち特に蹴り出しが向上され、所謂あおりを行い易くなる。そのため、歩行効率が向上し、疲労軽減が図れる。
【図面の簡単な説明】
【図１】  鋲およびラハーポイントと足の骨の配置を示す靴底の平面図
【図２】  鋲を配置する材料およびラバーポイントを配置する材料が異なる靴底の平面図
【符号の説明】
１  靴底
２  内側区域
３  外側区域
４  鋲
５  第１中足骨
６  種子骨
７  踏付部
８  第５中足骨
９  第５基節骨
１０  関節
１１  踵骨
１２  踵骨隆起
１３  先端
１４  踵部
１５  後端
１６  ラバーポイント
【図１】
0003917214.tif 000002
【図２】
0003917214.tif 000003